【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
画像を読み取って画像データを生成する画像形成装置と、前記画像の読み取りのための設定を含む複数のプロファイルを記憶するデータベースを有し当該プロファイルの設定を変更可能な情報処理装置とを含む画像形成システムであって、
前記画像形成装置は、
前記複数のプロファイルそれぞれを示す情報を取得する取得手段と、
前記取得手段により取得された前記情報に基づいて１つのプロファイルを選択する選択手段と、
前記選択手段により選択されたプロファイルに対応する前記画像の読み取りのための設定と、該選択されたプロファイルを識別する識別情報とを前記情報処理装置に送信する第１の送信手段と、
前記情報処理装置から前記画像の読み取りの指示を受信する受信手段と、
前記受信手段により受信した前記画像の読み取りの指示に従って、前記画像を読み取って画像データを生成する読取手段とを備え、
前記情報処理装置は、
前記画像形成装置の前記第１の送信手段により送信された前記識別情報により識別されるプロファイルに含まれる前記画像の読み取りのための設定を、前記第１の送信手段により送信された前記画像の読み取りのための設定に変更して、該変更されたプロファイルに基づいた前記画像の読み取りの指示を前記画像形成装置に送信する第２の送信手段を備える
ことを特徴とする画像形成システム。
【請求項２】
前記画像の読み取りのための設定とは、カラーモードで前記画像を読み取るか、若しくは、白黒モードで前記画像を読み取るかであることを特徴とする請求項１に記載の画像形成システム。
【請求項３】
前記画像形成装置は、前記選択手段により選択された前記１つのプロファイルに対応する前記画像の読み取りのための設定に応じて、前記画像形成装置において画像の読み取りの操作が実行可能であることを示す点灯手段を備えたキーを点灯するように制御するキー制御手段をさらに備え、
前記画像形成装置の前記第１の送信手段は、前記点灯手段を備えたキーの押下を受け付けることにより、前記選択手段により選択されたプロファイルに対応する前記画像の読み取りのための設定と、該選択されたプロファイルを識別する識別情報とを前記情報処理装置に送信することを特徴とする請求項２に記載の画像形成システム。
【請求項４】
画像を読み取って画像データを生成する画像形成装置と、前記画像の読み取りのための設定を含む複数のプロファイルを記憶するデータベースを有し当該プロファイルの設定を変更可能な情報処理装置とを含む画像形成システムにおいて実行される画像形成方法であって、
前記画像形成装置が、前記複数のプロファイルそれぞれを示す情報を取得する取得工程と、
前記画像形成装置が、前記取得工程において取得された前記情報に基づいて１つのプロファイルを選択する選択工程と、
前記画像形成装置が、前記選択工程において選択されたプロファイルに対応する前記画像の読み取りのための設定と、該選択されたプロファイルを識別する識別情報とを前記情報処理装置に送信する第１の送信工程と、
前記情報処理装置が、前記画像形成装置の前記第１の送信工程において送信された前記識別情報により識別されるプロファイルに含まれる前記画像の読み取りのための設定を、前記第１の送信工程において送信された前記画像の読み取りのための設定に変更して、該変更されたプロファイルに基づいた前記画像の読み取りの指示を前記画像形成装置に送信する第２の送信工程と、
前記画像形成装置が、前記情報処理装置から前記画像の読み取りの指示を受信する受信工程と、
前記画像形成装置が、前記受信工程において受信した前記画像の読み取りの指示に従って、前記画像を読み取って画像データを生成する読取工程と
を有することを特徴とする画像形成方法。
【請求項５】
画像の読み取りのための設定を含む複数のプロファイルを記憶するデータベースを有し当該プロファイルの設定を変更可能な情報処理装置と接続され、画像を読み取って画像データを生成する画像形成装置であって、
前記複数のプロファイルそれぞれを示す情報を取得する取得手段と、
前記取得手段により取得された前記情報に基づいて１つのプロファイルを選択する選択手段と、
前記選択手段により選択された前記１つのプロファイルに対応する画像の読み取りのための設定に応じて、画像の読み取りの操作が実行可能であることを示す点灯手段を備えたキーを点灯するように制御するキー制御手段と、
前記点灯手段を備えたキーの押下を受け付けることにより、前記選択手段により選択されたプロファイルに対応する前記画像の読み取りのための設定と、該選択されたプロファイルを識別する識別情報とを前記情報処理装置に送信する送信手段と
前記情報処理装置から前記画像の読み取りの指示を受信する受信手段と、
前記受信手段により受信した前記画像の読み取りの指示に従って、前記画像を読み取って画像データを生成する読取手段と
を備えることを特徴とする画像形成装置。
【請求項６】
画像の読み取りのための設定を含む複数のプロファイルを記憶するデータベースを有し当該プロファイルの設定を変更可能な情報処理装置と接続され、画像を読み取って画像データを生成する画像形成装置において実行される画像形成方法であって、
前記複数のプロファイルそれぞれを示す情報を取得する取得工程と、
前記取得工程において取得された前記情報に基づいて１つのプロファイルを選択する選択工程と、
前記選択工程において選択された前記１つのプロファイルに対応する画像の読み取りのための設定に応じて、画像の読み取りの操作が実行可能であることを示す点灯手段を備えたキーを点灯するように制御するキー制御工程と、
前記点灯手段を備えたキーの押下を受け付けることにより、前記選択工程において選択されたプロファイルに対応する前記画像の読み取りのための設定と、該選択されたプロファイルを識別する識別情報とを前記情報処理装置に送信する送信工程と
前記情報処理装置から前記画像の読み取りの指示を受信する受信工程と、
前記受信工程において受信した前記画像の読み取りの指示に従って、前記画像を読み取って画像データを生成する読取工程と
を有することを特徴とする画像形成方法。
【請求項７】
請求項６に記載の画像形成方法の各工程をコンピュータに実行させるためのプログラム。
【手続補正２】
【補正対象書類名】明細書
【補正対象項目名】００１０
【補正方法】変更
【補正の内容】
【００１０】
上記課題を解決するため、本発明に係る画像形成システムは、画像を読み取って画像データを生成する画像形成装置と、前記画像の読み取りのための設定を含む複数のプロファイルを記憶するデータベースを有し当該プロファイルの設定を変更可能な情報処理装置とを含む画像形成システムであって、
前記画像形成装置は、
前記複数のプロファイルそれぞれを示す情報を取得する取得手段と、
前記取得手段により取得された前記情報に基づいて１つのプロファイルを選択する選択手段と、
前記選択手段により選択されたプロファイルに対応する前記画像の読み取りのための設定と、該選択されたプロファイルを識別する識別情報とを前記情報処理装置に送信する第１の送信手段と、
前記情報処理装置から前記画像の読み取りの指示を受信する受信手段と、
前記受信手段により受信した前記画像の読み取りの指示に従って、前記画像を読み取って画像データを生成する読取手段とを備え、
前記情報処理装置は、
前記画像形成装置の前記第１の送信手段により送信された前記識別情報により識別されるプロファイルに含まれる前記画像の読み取りのための設定を、前記第１の送信手段により送信された前記画像の読み取りのための設定に変更して、該変更されたプロファイルに基づいた前記画像の読み取りの指示を前記画像形成装置に送信する第２の送信手段を備えることを特徴とする。